(57)【要約】【課題】紫外線ランプモジュールを提供する。【解決手段】シリンダ状に形成されて両端には外部から電力が供給されるようにプラグピンが備えられたランプと、前記ランプを内蔵し、保護することができるように中空状に形成された透明管と、着脱が可能なように前記ランプを内蔵した透明管の長さ方向の両側に締結される一対のキャップと、一対のキャップのうち少なくとも１つのキャップに、外側半径方向に所定長さを有するように延びて前記ランプの中心軸線を中心に回転することができるように備えられた取っ手と、を含む紫外線ランプモジュールに関する。本発明によるランプモジュールは、多様な物品に設置された紫外線ランプの設置及び維持補修時に紫外線ランプ以外の物品に設置されている他の部品によって相対的に狭い空間で作業者による紫外線ランプの設置及び着脱作業をより容易に実施して維持補修作業の能率を向上させて維持補修作業時間を節約することができる。【選択図】図１
2014194935.tif 000002
【特許請求の範囲】
【請求項１】
シリンダ状に形成されて両端には外部から電力が供給されるようにプラグピンが備えられたランプと、
前記ランプを内蔵して保護することができるように中空状に形成された透明管と、
着脱が可能なように前記ランプを内蔵した透明管の長さ方向の両側に締結される一対のキャップと、
前記一対のキャップのうち少なくとも１つのキャップに、外側半径方向に所定長さを有するように延びて前記ランプの中心軸線を中心に回転することができるように備えられた取っ手と、を含むことを特徴とする紫外線ランプモジュール。
【請求項２】
前記一対のキャップには、内側に前記ランプの両側一部が挿入されて支持されるように形成された第１挿入孔と、
前記第１挿入孔の底面に、挿入された前記ランプの両端に備えられたプラグピンが前記一対のキャップの外側に露出しながら締結されるように形成された嵌合孔と、
前記第１挿入孔の内径よりも内径が大きく形成されるように段により連結され、設置された前記ランプを保護することができるように内蔵する透明管の両側一部が挿入されて支持されるように形成された第２挿入孔と、を含むことを特徴とする請求項１に記載の取っ手が備えられた紫外線ランプモジュール。
【請求項３】
前記キャップの第１挿入孔は前記ランプの外径に対応する内径を有するように形成され、前記第２挿入孔は前記透明管の外径に対応する内径を有するように形成されていることを特徴とする請求項２に記載の紫外線ランプモジュール。
【発明の詳細な説明】
【技術分野】
【０００１】
本発明は、紫外線ランプモジュールに関し、より詳しくは、取っ手が備えられた紫外線ランプモジュールにより紫外線ランプが備えられる物品の電源を印加するソケットと、さらに簡単に結合することができ、作業者が維持補修のための紫外線ランプの着脱を容易に実施できる紫外線ランプモジュール(UV lamp module having handle)に関する。
【背景技術】
【０００２】
紫外線ランプ(Ultraviolet lamp)は、一般に、細菌、大腸菌、カビ、酵母などの微生物を殺菌するために使用されていて、紫外線が透過することができる石英管や特殊なガラス管の中に微量の水銀を封入した低圧水銀などがある。
【０００３】
紫外線ランプは、殺菌ランプ(Germicidal lamp)と呼ばれ、多様な形態及び構造で開発されていて殺菌清掃機などの多様な分野の物品に適用されて使用されている。
【発明の概要】
【発明が解決しようとする課題】
【０００４】
紫外線ランプは、使用量や破損などに伴う維持補修のために入れ替えが必要となる。紫外線ランプが備えられた多様な物品には、紫外線ランプ以外にも多様な他の部品が多く設置されている。
【０００５】
したがって、紫外線ランプと他の部品との間の空間が相対的に狭い場合は、作業者による設置や維持補修のための紫外線ランプの着脱作業が煩わしくなる問題点がある。
【０００６】
すなわち、作業者が維持補修のために紫外線ランプを着脱する際に、紫外線ランプ以外に設置されている他の部品により作業者の設置及び維持補修作業のための空間が狭い場合は、作業者が手を入れて紫外線ランプを設置し、回転させることが非常に難しくなる。
【０００７】
本発明はこのような問題点を解決するためになされたものであって、本発明の目的は、他の部品が設置されて相対的に狭い空間であっても作業者がランプの設置や維持補修のための着脱作業をより容易に実施できるようにすることである。
【課題を解決するための手段】
【０００８】
このような目的を達成するための本発明の紫外線ランプモジュールは、シリンダ状に形成されて両端には外部から電力を受けられるようにプラグピンを備えたランプと、ランプを内蔵して保護することができるように中空状に形成された透明管と、着脱が可能に前記ランプを内蔵した透明管の長手方向の両側に締結される一対のキャップと、一対のキャップのうち少なくとも１つのギャップに、外側半径方向に所定長さを有するように延びて前記ランプの中心軸線を中心にして回転させるように備えられた取っ手と、を含む。
【０００９】
一対のキャップには、内側にランプの両側一部が挿入されて支持されるように第１挿入孔が形成される。第１挿入孔の底面には、挿入されたランプの両端に備えられたプラグピンが一対のキャップの外側に露出されて締結されるように嵌合孔が形成される。
【００１０】
一対のキャップには、第１挿入孔に設けられたランプを保護することができるように内蔵する透明管の両側一部が挿入されて支持されるように第１挿入孔の内径よりも内径が大きく形成されるように、段によって連結される第２挿入孔が形成される。
【００１１】
第１挿入孔は、ランプの外径に対応する内径を有するように形成され、第２挿入孔は透明管の外径に対応する内径を有するように形成される。
【発明の効果】
【００１２】
本発明による紫外線ランプモジュールは、多様な物品に設置された紫外線ランプの設置や維持補修時の紫外線ランプ以外の物品に設置されている他の部品によって相対的に狭い空間において作業者による紫外線ランプの設置や着脱作業をより容易に実施して維持補修作業の能率を向上させて維持補修作業時間を節約することができる。
【図面の簡単な説明】
【００１３】
【図１】本発明の一実施形態による紫外線ランプモジュールの構成を示す分離斜視図である。
【図２】本発明の一実施形態による紫外線ランプモジュールがキャップと締結される状態を示す一部分解斜視図である。
【図３】本発明の一実施形態による紫外線ランプモジュールがキャップと締結される状態を示す一部拡大分解斜視図である。
【図４】本発明の一実施形態による紫外線ランプモジュールが電力供給手段と結合された状態を示す一部拡大断面図である。
【図５】本発明の一実施形態による紫外線ランプモジュールが電力供給手段と締結された状態を示す結合斜視図である。
【図６】本発明の一実施形態による紫外線ランプモジュールが電力供給手段に締結され、回転された状態を示す結合斜視図である。
【発明を実施するための形態】
【００１４】
以下、添付図面を参照して本発明の一実施形態による紫外線ランプモジュールについて詳細に説明する。
【００１５】
本発明の説明において、図面に示す構成要素の大きさや形状などは説明の明瞭性及び便宜のために誇張されるか、単純化されて表示されることができる。さらに本発明の構成及び作用を考慮して特別に定義された用語は、使用者、運用者の意図または慣例によって変わることができる。このような用語は、本明細書の内容に基づいて本発明の技術的思想に符合する意味及び概念として解釈すべきである。
【００１６】
本発明の、その外の目的、特定の長所及び新たな特徴は、添付図面と連関される、以下の詳細な説明及び好適な実施形態によりさらに明確にされる。
【００１７】
図１ないし図３を参照すると、本発明の一実施形態による紫外線ランプモジュールは、多様な物品に設置された紫外線ランプの設置及び維持補修時に物品に設置された他の部品によって相対的に狭い空間であっても作業者による紫外線ランプの設置及び維持補修のための着脱作業をより容易に実施して維持補修作業の能率を向上させて維持補修作業時間を節約することができる。
【００１８】
本発明の一実施形態による紫外線ランプモジュール１００は、両端にプラグピン１１、１２が備えられたランプ１０と、ランプ１０を保護することができるように内蔵する透明管２０と、着脱が可能なようにランプ１０を内蔵した透明管２０の長手方向の両側に締結される一対のキャップ５０、５０’と、一対のキャップ５０、５０’のうち少なくとも１つのキャップ５０、５０’に外側半径方向に所定長さを有するように延びて備えられた取っ手４０、４０’と、を含む。
【００１９】
本発明の一実施形態による紫外線ランプモジュール１００のランプ１０は、シリンダ状に形成されて両端に電力供給手段２００から電力を受けることができるようにプラグピン１１、１２を備える。
【００２０】
ランプ１０は、微生物を殺菌することができるように、紫外線を放射する紫外線ランプが好ましい。
【００２１】
本発明の一実施形態による紫外線ランプモジュール１００は、ランプ１０を内蔵して保護することができるように中空状で形成されている透明管２０を備える。
【００２２】
透明管２０は、紫外線帯域波長の光と赤外線帯域波長の光とを透過することができる光透過性の優れる石英管が好ましい。
【００２３】
本発明の一実施形態による紫外線ランプモジュール１００は、着脱が可能なようにランプ１０を内蔵した透明管２０の長さ方向の両側に締結される一対のキャップ５０、５０’には外側半径方向に所定長さを有するように延びてランプ１０の中心軸線３０を中心として回転できるように作業者が外部から力を加えることができる取っ手４０、４０’を備える。
【００２４】
取っ手４０、４０’は、作業者により紫外線ランプモジュール１００を安定的に締結するための回転がなされる一対のキャップ５０、５０’のそれぞれにすべて備えられることが好ましい。
【００２５】
本発明の他の実施形態による紫外線ランプモジュール１００は、一対のキャップ５０、５０’のうちの１つのキャップ５０、５０’だけに取っ手４０、４０’が備えられてもよい。
【００２６】
取っ手４０、４０’の形状は、本実施形態に示す形状に限定せず、多様な形状で形成することができる。キャップ５０、５０’の材質は、熱や電気を伝達しない絶縁体で形成することが好ましい。
【００２７】
キャップ５０、５０’には、内側にランプ１０の両側一部が挿入されて支持できるように、第１挿入孔５１、５１’が形成される。第１挿入孔５１、５１’の底面５２、５２’には、ランプ１０の両端に備えられたプラグピン１１、１２が一対のキャップ５０、５０’の外側に露出されながら締結できるように嵌合孔５３、５３’が形成される。
【００２８】
キャップ５０、５０’には、第１挿入孔５１、５１’の内径よりも内径が大きく形成されるように第１挿入孔５１、５１’と段５４、５４’によって連結される第２挿入孔５７、５７’が形成される。
【００２９】
ランプ１０及び透明管２０が挿入されて堅固に支持されるように、第１挿入孔５１、５１’はランプ１０の外径に対応する内径を有するように形成され、第２挿入孔は透明管２０の外径に対応する内径を有するように形成される。
【００３０】
図２ないし図４を参照すると、このような構成を有する本発明の一実施形態による紫外線ランプモジュール１００は、一対のキャップ５０、５０’のうち１つのキャップ５０、５０’の第１挿入孔５１、５１’にランプ１０の一側を挿入して締結する。
【００３１】
このとき、第１挿入孔５１、５１’の底面５２、５２’に形成されている嵌合孔５３、５３’にランプ１０の一端に備えられたプラグピン１１、１２がキャップ５０、５０’の外側に露出されるように締結する。
【００３２】
第１挿入孔５１、５１’の内径は、ランプ１０の外径に対応するように形成されて挿入された紫外線ランプ１０を堅固に支持することができる。
【００３３】
キャップ５０、５０’の第２挿入孔５７、５７’には、第１挿入孔５１、５１’に挿入されて締結されたランプ１０を内蔵するように、透明管２０の一側を挿入して締結する。
【００３４】
第２挿入孔５７、５７’の内径は、透明管２０の外径に対応するように形成されて挿入された透明管２０を堅固に支持することができる。
【００３５】
一対のキャップ５０、５０’のうち１つのキャップ５０に、紫外線ランプ１０及び透明管２０の一側が挿入されて締結された後に、他側に他の一つのキャップ５０、５０’を、上記と同一方法で紫外線ランプ１０及び透明管２０の他側を挿入して締結する。
【００３６】
一方、作業者の維持補修作業のための分離時には、上記説明の逆順で分解することができる。
【００３７】
以下、上記のような構成を持つ本発明の一実施形態による紫外線ランプモジュールの作用について詳しく説明する。図４ないし図６を参照すると、本発明の一実施形態による紫外線ランプモジュール１００は、細菌、大腸菌、カビ、酵母等の微生物を殺菌するために殺菌清掃機など多様な分野の物品に装着される。
【００３８】
作業者はキャップ５０、５０’の取っ手４０、４０’をつかんで物品に設置されている電力供給手段２００の挿入溝２１０にランプ１０のプラグピン１１、１２を挿入して電力供給手段２００の接続端子部２３０と結合する。
【００３９】
作業者がランプ１０の中心軸線３０を中心として一側円周方向に取っ手４０、４０’を回転させると紫外線ランプモジュール１００が回転して接続端子部２３０の接続端子２５０とプラグピン１１、１２とが締結されて電力が印加される。
【００４０】
そこで、電力供給手段２００の接続端子部２３０には、結合される紫外線ランプモジュール１００が回転する際にランプ１０の中心軸線３０を中心に回転して接続端子２５０と締結されるように、ランプ１０のプラグピン１１、１２を案内するガイド溝（図示せず）が形成されることができ、紫外線ランプモジュール１００と結合して回転時に一緒に回転するように形成されてもよい。
【００４１】
紫外線ランプモジュール１００は、ランプ１０が一対のキャップ５０、５０’の嵌合孔５３、５３’にランプ１０のプラグピン１１、１２により締結されているので、一対のキャップ５０、５０’のうち１つのキャップ５０、５０’の取っ手４０、４０’を回転させるだけでも、紫外線ランプモジュール１００を回転させることができる。
【００４２】
また、紫外線ランプモジュール１００の一対のキャップ５０、５０’のうち１つのキャップ５０、５０’だけに取っ手４０、４０’が備えられる、本発明の他の実施形態による紫外線ランプモジュール１００においても上記のようにランプ１０が一対のキャップ５０、５０’の嵌合孔５３、５３’にランプ１０のプラグピン１１、１２により締結されているので、紫外線ランプモジュール１００を回転させることができる。
【００４３】
一方、作業者は維持補修のために紫外線ランプモジュール１００を分離する際に紫外線ランプモジュール１００の取っ手４０、４０’をつかんで締結時回転方向の反対方向に回転させて分離することができる。
【００４４】
したがって、紫外線ランプモジュール１００が設置される多様な物品に設置されている他の部品による相対的に狭い空間であっても作業者により容易に紫外線ランプモジュール１００の設置や維持補修のための着脱を実施して維持補修作業の能率を向上させて維持補修作業時間を節約することができる。
【００４５】
上記に説明され、図面に示された本発明の実施形態は、本発明の技術的思想を限定するものとして解釈してはいけない。本発明の保護範囲は、特許請求の範囲に記載された事項によって制限され、本発明の技術分野で通常の知識を有する者は本発明の技術的思想を多様な形態に改良及び変更することが可能である。よって、このような改良及び変更は該当の技術分野で通常の知識を有する者に自明なことである限り、本発明の保護範囲に属するものとされる。
【符号の説明】
【００４６】
１０    ランプ
２０    透明管
３０    中心軸線
４０、４０’    取っ手
５０、５０’    キャップ
５１、５１’    第１挿入孔
５２、５２’    底面
５３、５３’    嵌合孔
５４、５４’    段
５７、５７’    第２挿入孔
１００    紫外線ランプモジュール
２００    電力供給手段
【図１】
2014194935.tif 000003
【図２】
2014194935.tif 000004
【図３】
2014194935.tif 000005
【図４】
2014194935.tif 000006
【図５】
2014194935.tif 000007
【図６】
2014194935.tif 000008